(57)【特許請求の範囲】
【請求項１】
横桁を橋軸方向に貫通する外ケーブル挿通孔に外ケーブルが挿通配置されてなるプレストレストコンクリート橋において、上記外ケーブルの端部を上記横桁に定着するための外ケーブル定着構造であって、
上記横桁における橋軸方向の一端面に、定着体が間詰め層を介して取り付けられた構成となっており、
上記定着体が、上記外ケーブルを挿通させるための第１筒状部材と、この第１筒状部材を埋設するようにして打設されたプレキャストコンクリートブロックとからなり、
上記プレキャストコンクリートブロックが、高強度繊維補強コンクリートで構成されており、
上記定着体に、該定着体のプレキャストコンクリートブロックにおける横桁対向面から突出する第２筒状部材が取り付けられており、
その際、この第２筒状部材が、該第２筒状部材の基端部において上記第１筒状部材にねじ込み固定されており、
この第２筒状部材の先端部の外径が、上記外ケーブル挿通孔の内径と略同一径に設定されている、ことを特徴とする外ケーブル定着構造。
【請求項２】
上記第２筒状部材の中間部が、該第２筒状部材の基端部および先端部に対してくびれるようにして形成されており、
この中間部に、該中間部の上下両側から１対の半割筒状部材が装着されており、
これら１対の半割筒状部材の装着状態での外径が、上記外ケーブル挿通孔の内径と略同一径に設定されている、ことを特徴とする請求項１記載の外ケーブル定着構造。
【請求項３】
上記外ケーブル挿通孔に、所定長にわたって第３筒状部材が配置されるとともに、この第３筒状部材の一端部に、上記第２筒状部材の先端部が外挿状態で嵌め込まれており、
これら第２および第３筒状部材に対して、上記外ケーブル挿通孔を貫通する第４筒状部材が、上記プレキャストコンクリートブロックの他端面側から上記第１筒状部材を介して挿入されている、ことを特徴とする請求項２記載の外ケーブル定着構造。
【発明の詳細な説明】
【技術分野】
【０００１】
本願発明は、プレストレストコンクリート橋における外ケーブル定着構造に関するものである。
【背景技術】
【０００２】
従来より、プレストレストコンクリート橋の構成として、その横桁を橋軸方向に貫通する外ケーブル挿通孔に外ケーブルが挿通配置されたものが知られている。そして、このようなプレストレストコンクリート橋においては、その外ケーブルの端部を横桁に定着するための外ケーブル定着構造が設けられている。
【０００３】
この外ケーブル定着構造は、例えば「特許文献１」に記載されているように、横桁内に定着体が埋め込まれた構成となっている。その際、この「特許文献１」に記載された定着体のブロックは、補強繊維が混入された無機質材料で構成されている。
【０００４】
また「特許文献２」には、プレストレストコンクリート自体における定着部の部分が、繊維補強セメント系複合材料により構成されたものが記載されている。
【０００５】
なお「特許文献３」には、橋軸方向に延びる外ケーブルの端部を横桁に定着するための外ケーブル定着構造ではないが、この外ケーブルの端部を定着するための定着体が主桁の両側面に取り付けられた構造が記載されている。
【０００６】
この「特許文献３」に記載された構造は、定着体のブロックがプレキャストコンクリートブロックとして構成されるとともに、主桁を橋軸直交方向に貫通する孔に挿通配置されたＰＣ鋼線（またはアラミドＦＲＰ材）が、緊張された状態で主桁の両側において各定着体に定着された構成となっている。その際、これら各定着体と主桁の側壁面との間にはモルタルが間詰めされた構成となっている。
【０００７】
【特許文献１】特開２００７−７０８９５号公報
【特許文献２】特開２００３−１２９６１２号公報
【特許文献３】特開平８−１５８３１５号公報
【発明の開示】
【発明が解決しようとする課題】
【０００８】
従来のプレストレストコンクリート橋における外ケーブル定着構造は、横桁内に定着体が埋め込まれた構成となっているので、予め、この定着体が埋め込まれる部分を避けるようにして横桁内の鉄筋を配置する必要があり、このため配筋が部分的に密になってコンクリートの充填性に懸念を生じる、という問題がある。
【０００９】
また、プレストレストコンクリート橋においては、その施工完了後に、外ケーブルの損傷等による交換や上床版の拡幅工事または設計活荷重の増加等に伴う補強のために、外ケーブルを追加配置する必要性が生じることを予め考慮して、その施工の際、横桁に予備孔を設けておくことが多い。
【００１０】
このようにして架設されたプレストレストコンクリート橋において、その予備孔に外ケーブルを挿通配置する場合には、コアボーリングにより定着体を横桁内に埋め込む必要があるが、このとき、横桁内に配置されている鉄筋の一部を切断して、横桁を損傷させてしまうおそれがある。
【００１１】
これに対し、定着体のブロックをプレキャストコンクリートブロックとして構成し、横桁に対して後付けするようにすれば、横桁を損傷させてしまうおそれはなくなる。しかしながら、このプレキャストコンクリートブロックを、通常のコンクリートで構成した場合には、かなり大きなものとなってしまう。このため、横桁に設けられた予備孔が、既設の外ケーブル挿通孔に近接しているような場合には、定着体を設置するスペースを確保することができない、という問題がある。
【００１２】
なお、定着体を鋼製の架台によって作製することも可能であるが、このようにした場合には、維持管理が容易でなく、また、定着体が高価なものとなってしまう、という問題がある。
【００１３】
本願発明は、このような事情に鑑みてなされたものであって、プレストレストコンクリート橋における外ケーブル定着構造において、横桁を損傷させてしまうことなく、省スペースで定着体を設置することができ、かつ、これを維持管理が容易で安価なものとすることができる外ケーブル定着構造を提供することを目的とするものである。
【課題を解決するための手段】
【００１４】
本願発明は、定着体のブロックをプレキャストコンクリートブロックとして構成した上で、このプレキャストコンクリートブロックを高強度繊維補強コンクリートで構成することにより、上記目的達成を図るようにしたものである。
【００１５】
すなわち、本願発明に係る外ケーブル定着構造は、
横桁を橋軸方向に貫通する外ケーブル挿通孔に外ケーブルが挿通配置されてなるプレストレストコンクリート橋において、上記外ケーブルの端部を上記横桁に定着するための外ケーブル定着構造であって、
上記横桁における橋軸方向の一端面に、定着体が間詰め層を介して取り付けられた構成となっており、
上記定着体が、上記外ケーブルを挿通させるための第１筒状部材と、この第１筒状部材を埋設するようにして打設されたプレキャストコンクリートブロックとからなり、
上記プレキャストコンクリートブロックが、高強度繊維補強コンクリートで構成されており、
上記定着体に、該定着体のプレキャストコンクリートブロックにおける横桁対向面から突出する第２筒状部材が取り付けられており、
その際、この第２筒状部材が、該第２筒状部材の基端部において上記第１筒状部材にねじ込み固定されており、
この第２筒状部材の先端部の外径が、上記外ケーブル挿通孔の内径と略同一径に設定されている、ことを特徴とするものである。
【００１６】
上記「間詰め層」に用いられる間詰め材の具体的な構成は特に限定されるものではなく、例えば、無収縮モルタルや場所打ちコンクリート等を用いることが可能であり、その際、場所打ちコンクリートに用いるコンクリートとしては、通常のコンクリートや高強度繊維補強コンクリート等が採用可能である。
【００１７】
上記「第１筒状部材」は、外ケーブルを挿通させ得る構成を有するものであれば、その具体的な形状や材質は特に限定されるものではない。
【００１８】
上記「プレキャストコンクリートブロック」は、高強度繊維補強コンクリートで構成されたものであれば、その具体的な大きさや形状は特に限定されるものではない。
【００１９】
上記「高強度繊維補強コンクリート」とは、圧縮強度の特性値が１００Ｎ／ｍｍ２以上の繊維補強を行ったセメント質複合材を意味するものであり、その具体的な組成については特に限定されるものではない。
【発明の効果】
【００２０】
上記構成に示すように、本願発明に係る外ケーブル定着構造は、プレストレストコンクリート橋の横桁における橋軸方向の一端面に、外ケーブルを挿通させるための第１筒状部材と、この第１筒状部材を埋設するようにして打設されたプレキャストコンクリートブロックとからなる定着体が、間詰め層を介して取り付けられた構成となっており、そのプレキャストコンクリートブロックが高強度繊維補強コンクリートで構成されているので、次のような作用効果を得ることができる。
【００２１】
すなわち、定着体のブロックがプレキャストコンクリートブロックとして構成されており、横桁に対して後付けされる構成となっているので、横桁内に定着体を埋め込む必要をなくすことができる。このため、新設のプレストレストコンクリート橋においては、横桁内の鉄筋を、定着体の埋込み部分を避けるようにして配置する必要をなくすことができるとともに、コンクリートの充填性の懸念を払拭することができ、これにより横桁の施工を簡素化することができる。また、既設のプレストレストコンクリート橋においては、コアボーリングにより横桁内に配置された鉄筋の一部を切断して横桁を損傷させてしまうおそれをなくすことができる。
【００２２】
しかも、このプレキャストコンクリートブロックは、高強度繊維補強コンクリートで構成されているので、スパイラル筋の配置を不要とすることができ、かつ、これを通常のコンクリートで構成した場合に比して、大幅に小型化することができる。このため、新設のプレストレストコンクリート橋においては、複数の外ケーブルを近接配置することが可能となる。また、既設のプレストレストコンクリート橋においては、横桁に設けられた予備孔が既設の外ケーブル挿通孔に近接している場合においても、定着体の設置スペースを容易に確保することができる。
【００２３】
また、定着体を鋼製の架台によって作製するようにした場合に比して、維持管理を容易に行うことができ、かつ、定着体を安価なものとすることができる。
【００２４】
このように本願発明によれば、プレストレストコンクリート橋における外ケーブル定着構造において、横桁を損傷させてしまうことなく、省スペースで定着体を設置することができ、かつ、これを維持管理が容易で安価なものとすることができる。
【００２５】
上記構成において、プレキャストコンクリートブロックが、超高強度繊維補強コンクリートで構成されたものとすれば、その小型化を一層推進することができる。ここで「超高強度繊維補強コンクリート」とは、圧縮強度の特性値が１５０Ｎ／ｍｍ２以上の繊維補強を行ったセメント質複合材を意味するものである。
【００２６】
上記構成において、定着体に、そのプレキャストコンクリートブロックにおける横桁対向面（すなわち横桁と対向する端面）から突出する第２筒状部材が取り付けられた構成とし、その際、この第２筒状部材が、その基端部において第１筒状部材にねじ込み固定されるとともに、その先端部の外径が外ケーブル挿通孔の内径と略同一径に設定された構成とすれば、次のような作用効果を得ることができる。
【００２７】
すなわち、定着体を横桁に取り付ける際、第２筒状部材を外ケーブル挿通孔に挿入することにより、この第２筒状部材を定着体の芯出しガイドとして用いることができ、かつ、この第２筒状部材を、間詰め材を打設する際の内型枠として用いることができる。
【００２８】
この場合において、第２筒状部材の中間部が、その基端部および先端部に対してくびれるようにして形成された構成とした上で、この中間部に、その上下両側から１対の半割筒状部材が装着された構成とするとともに、これら１対の半割筒状部材の装着状態における外径が、外ケーブル挿通孔の内径と略同一径に設定された構成とすれば、次のような作用効果を得ることができる。
【００２９】
すなわち、これら１対の半割筒状部材の外周面により、定着体の芯出し精度を一層高めることができ、かつ、これら１対の半割筒状部材を、間詰め材を打設する際の内型枠として有効利用することができる。また、これら１対の半割筒状部材により、角折れ等を防ぐ緩衝材としての役割を果たすようにすることができる。
【００３０】
さらに、この場合において、外ケーブル挿通孔に、所定長にわたって第３筒状部材が配置されるとともに、この第３筒状部材の一端部に、第２筒状部材の先端部が外挿状態で（すなわち第３筒状部材の一端部に対して第２筒状部材の先端部が外周側に位置するようにした状態で）嵌め込まれた構成とした上で、これら第２および第３筒状部材に対して、外ケーブル挿通孔を貫通する第４筒状部材が、プレキャストコンクリートブロックの他端面側（すなわち横桁対向面とは反対側の端面側）から第１筒状部材を介して挿入された構成とすれば、次のような作用効果を得ることができる。
【００３１】
すなわち、外ケーブル挿通孔を貫通する第４筒状部材の存在により、外ケーブルの挿通配置を容易に行うことが可能となるが、この第４筒状部材を挿通配置する際にも、これをプレキャストコンクリートブロックの他端面側から第１筒状部材を介して第２および第３筒状部材に挿入することにより、その挿通配置を容易に行うことができる。
【発明を実施するための最良の形態】
【００３２】
以下、図面を用いて、本願発明の実施の形態について説明する。
【００３３】
図１は、本願発明の一実施形態に係る外ケーブル定着構造が適用されるプレストレストコンクリート橋１００を、その橋軸直交方向の鉛直面に沿って示す断面図である。
【００３４】
また、図２（ａ）は、図１のIIa−IIa線断面図であり、同図（ｂ）は、同図（ａ）に示す位置に外ケーブル定着構造が取り付けられたときの状態を示す断面図であり、同図（ｃ）は、同図（ｂ）に示す位置にさらに外ケーブルが配置されたときの状態を示す断面図である。
【００３５】
図１に示すように、プレストレストコンクリート橋１００の横桁１０２には、橋軸の左右両側（図１においては、その片側のみを示す）に、該横桁１０２を橋軸方向に貫通する５つの外ケーブル挿通孔１１２Ａ、１１２Ｂ、１１２Ｃ、１１２Ｄ、１１２Ｅが、互いに略等間隔をおいて形成されている。これら各外ケーブル挿通孔１１２Ａ、１１２Ｂ、１１２Ｃ、１１２Ｄ、１１２Ｅは、その内径がφ１６０ｍｍ程度に設定されている。
【００３６】
これら５つの外ケーブル挿通孔１１２Ａ、１１２Ｂ、１１２Ｃ、１１２Ｄ、１１２Ｅのうち、３つの外ケーブル挿通孔１１２Ａ、１１２Ｂ、１１２Ｃは、上段に位置しており、残り２つの外ケーブル挿通孔１１２Ｄ、１１２Ｅは、下段に位置している。
【００３７】
上段に位置する３つの外ケーブル挿通孔１１２Ａ、１１２Ｂ、１１２Ｃは、上床版１０４の下方近傍に位置しており、その各々に、外ケーブル５０が挿通配置されている。
【００３８】
これら３つの外ケーブル挿通孔１１２Ａ、１１２Ｂ、１１２Ｃのうち、最も橋軸寄りに位置する外ケーブル挿通孔１１２Ａには、該外ケーブル挿通孔１１２Ａに挿通配置された外ケーブル５０の端部を横桁１０２に定着するための外ケーブル定着構造が設けられている。この外ケーブル定着構造は、横桁１０２における橋軸方向の一端面１０２ａに、定着体１０が間詰め層２０（図２（ｂ）参照）を介して取り付けられた構成となっている。
【００３９】
また、橋軸から最も離れた位置にある外ケーブル挿通孔１１２Ｃは、上床版１０４と主桁１０６との間のハンチ部の下方に位置している。この外ケーブル挿通孔１１２Ｃおよびその橋軸側に隣接する外ケーブル挿通孔１１２Ｂの各々に挿通配置された外ケーブル５０は、横桁１０２の一端面１０２ａには定着されていない。
【００４０】
下段に位置する２つの外ケーブル挿通孔１１２Ｄ、１１２Ｅは、上段に位置する２つの外ケーブル挿通孔１１２Ｂ、１１２Ｃの真下に位置しており、これら各外ケーブル挿通孔１１２Ｄ、１１２Ｅは、外ケーブル５０が挿通配置されていない予備孔として形成されている。
【００４１】
そして、これら予備孔として形成された各外ケーブル挿通孔１１２Ｂ、１１２Ｃには、例えば、上床版１０４の拡幅のために、その張出し部１０８に図中２点鎖線で示すような張出し延長部１１０を継ぎ足す工事を行うような場合に、プレストレストコンクリート橋１００の補強を図ることを目的として、外ケーブル５０が追加的に挿通配置されるようになっている。そして、これら各外ケーブル挿通孔１１２Ｂ、１１２Ｃに挿通配置された外ケーブル５０は、横桁１０２の一端面１０２ａにおいて、図中２点鎖線で示す定着体１０により各々定着されるようになっている。
【００４２】
図２（ａ）に示すように、外ケーブル挿通孔１１２Ｅは、横桁１０２の略中央からその一端面１０２ａおよび他端面１０２ｂへ向けてやや下向きに延びるように曲線状に形成されている。この点、他の外ケーブル挿通孔１１２Ａ、１１２Ｂ、１１２Ｃ、１１２Ｄについても同様である。
【００４３】
そして、横桁１０２には、その外ケーブル挿通孔１１２Ｅの内壁面に沿ってＰＥ（すなわちポリエチレン）管１２０が埋設されており、その両端部１２０ａ、１２０ｂは横桁１０２の両端面１０２ａ、１０２ｂから僅かに突出している。なお、このＰＥ管１２０は、外ケーブル挿通孔１１２Ｅが予備孔の状態では、その両端部１２０ａ、１２０ｂが両端面１０２ａ、１０２ｂから突出した状態にあるが、外ケーブル５０が挿通配置される際には、同図（ｂ）、（ｃ）に示すように、所定長にわたって切除されるようになっている。
【００４４】
図２（ｂ）にも示すように、定着体１０は、外ケーブル５０を挿通させるためのリブキャストアンカ（第１筒状部材）１２と、このリブキャストアンカ１２を埋設するようにして打設されたプレキャストコンクリートブロック１４とからなっている。
【００４５】
図３は、図２（ｂ）のIII 部詳細図である。
【００４６】
同図にも示すように、定着体１０のプレキャストコンクリートブロック１４は、外ケーブル挿通孔１１２Ｅが、横桁１０２の略中央からその一端面１０２ａへ向けてやや下向きに延びていることから、上底が下底よりもやや長い台形状の鉛直断面形状を有している。具体的には、このプレキャストコンクリートブロック１４は、上底の長さが２６４ｍｍ、下底の長さが２６０ｍｍ、上底から下底までの幅が４００ｍｍ、左右幅が５４０ｍｍに設定されている。
【００４７】
このプレキャストコンクリートブロック１４の横桁対向面（すなわち横桁１０２の一端面１０２ａと対向する端面）１４ａと、横桁１０２の一端面１０２ａとの間には、所定の隙間（具体的には３０ｍｍ程度の等間隔の隙間）が設けられている。そして、この隙間に対して、プレキャストコンクリートブロック１４の外周面の仮想延長面で囲まれた範囲内に、間詰め材として無収縮モルタルが打設されることにより、間詰め層２０が形成されている。
【００４８】
プレキャストコンクリートブロック１４は、圧縮強度の特性値が１００Ｎ／ｍｍ２以上の繊維補強を行ったセメント質複合材からなる高強度繊維補強コンクリートで構成されている。特に、本実施形態においては、この高強度繊維補強コンクリートとして、圧縮強度の特性値が１５０Ｎ／ｍｍ２以上の繊維補強を行ったセメント質複合材からなる超高強度繊維補強コンクリートが用いられている。
【００４９】
この超高強度繊維補強コンクリートは、ひび割れ発生強度の特性値が４Ｎ／ｍｍ２以上に設定されており、引張強度の特性値が５Ｎ／ｍｍ２以上に設定されている。
【００５０】
リブキャストアンカ１２は、鋳鉄製の部材であって、プレキャストコンクリートブロック１４における横桁対向面１４ａの近傍位置から、その反対側の他端面１４ｂまで延びており、プレキャストコンクリートブロック１４の開口部１４ｃと略同一径の開口部１２ａを有している。そして、このリブキャストアンカ１２における開口部１２ａの先端部（すなわち横桁対向面１４ａ側の端部）には、ネジ溝１２ｂが形成されている。
【００５１】
定着体１０には、そのプレキャストコンクリートブロック１４の横桁対向面１４ａから突出する外トランペット管（第２筒状部材）２２が取り付けられている。この外トランペット管２２は、高密度ポリエチレン製の部材であって、その基端部２２ａにはネジ山２２ｂが形成されている。そして、この外トランペット管２２は、このネジ山２２ｂにおいてリブキャストアンカ１２のネジ溝１２ｂと螺合しており、これによりリブキャストアンカ１２にねじ込み固定されている。この外トランペット管２２は、その先端部２２ｃの外径が、外ケーブル挿通孔１１２Ｅの内径と略同一径（具体的には、外ケーブル挿通孔１１２Ｅの内径よりも僅かに小さい値）に設定されている。
【００５２】
この外トランペット管２２は、その中間部２２ｄが、その基端部２２ａおよび先端部２２ｃに対してくびれるようにして形成されている。その際、この中間部２２ｄは、基端部２２ａから先端部２２ｃへ向けて徐々に径が小さくなるように形成されている。
【００５３】
この外トランペット管２２の中間部２２ｄには、その上下両側から１対の外トランペット押さえ（半割筒状部材）２４Ａ、２４Ｂが装着されている。
【００５４】
これら各外トランペット押さえ２４Ａ、２４Ｂは、高密度ポリエチレン製の部材であって、いずれも断面半円弧状に形成されている。そして、これら１対の外トランペット押さえ２４Ａ、２４Ｂは、外トランペット管２２への装着状態で、その外周面が、外ケーブル挿通孔１１２Ｅの内径と略同一径の外径を有する円筒面として形成されるとともに、その内周面が、外トランペット管２２の中間部２２ｄと略同一形状の曲面で形成されている。
【００５５】
外ケーブル挿通孔１１２Ｅには、所定長にわたってバックアップＰＥ管（第３筒状部材）２６が配置されている。このバックアップＰＥ管２６は、両端部が切除されたＰＥ管１２０の内径よりもやや小さい外径（具体的には、外トランペット管２２の先端部２２ｃの内径と同一径）を有しており、ＰＥ管１２０の両端面から僅かに突出するようにして配置されている。そして、このバックアップＰＥ管２６の一端部には、外トランペット管２２の先端部２２ｃが外挿状態で（すなわちバックアップＰＥ管２６の一端部に対して外トランペット管２２の先端部２２ｃが外周側に位置するようにした状態で）嵌め込まれている。
【００５６】
外ケーブル挿通孔１１２Ｅには、該外ケーブル挿通孔１１２Ｅを貫通する内トランペット管（第４筒状部材）２８が配置されている。この内トランペット管２８は、高密度ポリエチレン製の部材であって、プレキャストコンクリートブロック１４の他端面１４ｂ側からリブキャストアンカ１２、外トランペット管２２およびバックアップＰＥ管２６に挿入されるようにして配置されている。この内トランペット管２８は、その配置が完了した状態では、リブキャストアンカ１２および外トランペット管２２に対して内接するようにして配置されるとともに、バックアップＰＥ管２６に対しては多少の間隔をおいて配置されるようになっている。
【００５７】
上述したように、定着体１０は、横桁１０２の一端面１０２ａに、間詰め層２０を介して取り付けられているが、その間詰め材を打設する際、外トランペット管２２および１対の外トランペット押さえ２４Ａ、２４Ｂが内型枠として用いられるようになっている。
【００５８】
また、この定着体１０を横桁１０２の一端面１０２ａに取り付ける際、プレキャストコンクリートブロック１４の横桁対向面１４ａから突出する外トランペット管２２に装着された１対の外トランペット押さえ２４Ａ、２４Ｂを、外ケーブル挿通孔１１２Ｅに挿入することにより、定着体１０を外ケーブル挿通孔１１２Ｅの中心線Ａｘに対して芯出しするようになっている。
【００５９】
図２（ｂ）に示すように、外ケーブル挿通孔１１２Ｅにおける横桁１０２の他端面１０２ｂ側の端部には、高密度ポリエチレン製のディアボロ管３０が装着されている。このディアボロ管３０は、バックアップＰＥ管２６の端面に当接して、バックアップＰＥ管２６の位置決めを図るとともに、内トランペット管２８を挿通支持するようになっている。このディアボロ管３０は、リング状のゴム板３２を介して図示しないホールインアンカで横桁１０２に固定されている。
【００６０】
図２（ｃ）に示すように、外ケーブル５０は、外ケーブル挿通孔１１２Ｅに装着された内トランペット管２８に挿通配置されるとともに、その端部において、多数の貫通孔が形成された高密度ポリエチレン製のスペーサ５２および多数の貫通孔が形成された炭素鋼製のアンカディスク５４に挿通された状態で緊張され、その後、複数のウェッジ５６によりアンカディスク５４に定着されるようになっている。その際、アンカディスク５４は、スペーサ５２およびその外周側に配置されたゴム製のパッキン５８を介してリブキャストアンカ１２に当接するように配置されている。
【００６１】
そして、この外ケーブル５０の定着後、リブキャストアンカ１２には、アンカディスク５４を覆う図示しないグラウトキャップが装着されるようになっている。
【００６２】
図４は、図２（ａ）に示す予備孔として形成された外ケーブル挿通孔１１２Ｅに対して、図２（ｂ）に示す外ケーブル定着構造を取り付ける際の手順を示す工程図である。
【００６３】
まず、図４（ａ）に示すように、取付け前の定着体１０に対して、そのリブキャストアンカ１２に、外トランペット管２２をねじ込み固定する。
【００６４】
次に、同図（ｂ）に示すように、定着体１０のリブキャストアンカ１２にねじ込み固定された外トランペット管２２に対して、１対の外トランペット押さえ２４Ａ、２４Ｂを装着する。一方、横桁１０２の外ケーブル挿通孔１１２Ｅに埋設されたＰＥ管１２０の両端部１２０ａ、１２０ｂを、所定長にわたって切除しておく。
【００６５】
次に、同図（ｃ）に示すように、外ケーブル挿通孔１１２Ｅに埋設されたＰＥ管１２０に、バックアップＰＥ管２６を挿通配置する。その際、このバックアップＰＥ管２６の両端部をＰＥ管１２０の両端面から僅かに突出させるようにする。
【００６６】
そして、外ケーブル挿通孔１１２Ｅにおける横桁１０２の他端面１０２ｂ側の端部に、ディアボロ管３０を装着するとともに、このディアボロ管３０をバックアップＰＥ管２６の端面に当接させて、バックアップＰＥ管２６の位置決めを図る。
【００６７】
次に、同図（ｄ）に示すように、定着体１０を、外トランペット管２２および１対の外トランペット押さえ２４Ａ、２４Ｂと共に、横桁１０２への取付けのための位置合わせをする。
【００６８】
この位置合わせは、１対の外トランペット押さえ２４Ａ、２４Ｂが装着された外トランペット管２２を、横桁１０２の一端面１０２ａ側から外ケーブル挿通孔１１２Ｅに挿入することにより行い、その際、プレキャストコンクリートブロック１４の横桁対向面１４ａと横桁１０２の一端面１０２ａとの隙間が３０ｍｍ程度になるようにする。
【００６９】
この位置合わせの際、外トランペット管２２の先端部を、バックアップＰＥ管２６の一端部に対して外挿状態で嵌め込む。このとき、外トランペット管２２は、これに装着された１対の外トランペット押さえ２４Ａ、２４Ｂにより、外ケーブル挿通孔１１２Ｅに対する芯出しがなされているので、バックアップＰＥ管２６に対して容易に嵌め込まれることとなる。
【００７０】
次に、同図（ｅ）に示すように、外ケーブル挿通孔１１２Ｅに対して、内トランペット管２８を挿通配置する。
【００７１】
この挿通配置は、内トランペット管２８を、プレキャストコンクリートブロック１４の他端面１４ｂ側から、リブキャストアンカ１２、外トランペット管２２およびバックアップＰＥ管２６に挿入し、さらにディアボロ管３０を挿通させて、横桁１０２の他端面１０２ｂ側の空間へ突出させることにより行う。
【００７２】
最後に、同図（ｆ）に示すように、プレキャストコンクリートブロック１４の横桁対向面１４ａと横桁１０２の一端面１０２ａとの隙間に、間詰め材を打設して間詰め層２０を形成する。
【００７３】
この打設の際、プレキャストコンクリートブロック１４の外周面に沿って図示しない型枠を配置する一方、定着体１０に装着された外トランペット管２２および１対の外トランペット押さえ２４Ａ、２４Ｂを内型枠として用いるようにする。
【００７４】
以上詳述したように、本実施形態に係る外ケーブル定着構造は、プレストレストコンクリート橋１００の横桁１０２における橋軸方向の一端面１０２ａに、外ケーブル５０を挿通させるためのリブキャストアンカ１２と、このリブキャストアンカ１２を埋設するようにして打設されたプレキャストコンクリートブロック１４とからなる定着体１０が、間詰め層２０を介して取り付けられた構成となっており、そのプレキャストコンクリートブロック１４が高強度繊維補強コンクリートで構成されているので、次のような作用効果を得ることができる。
【００７５】
すなわち、定着体１０のブロックがプレキャストコンクリートブロック１４として構成されており、横桁１０２に対して後付けされる構成となっているので、横桁１０２内に定着体１０を埋め込む必要をなくすことができる。このため、プレストレストコンクリート橋１００が新設のプレストレストコンクリート橋である場合には、横桁１０２内の鉄筋を、定着体１０の埋込み部分を避けるようにして配置する必要をなくすことができるとともに、コンクリートの充填性の懸念を払拭することができ、これにより横桁１０２の施工を簡素化することができる。また、プレストレストコンクリート橋１００が既設のプレストレストコンクリート橋である場合には、横桁１０２内に配置された鉄筋の一部を切断して横桁１０２を損傷させてしまうおそれをなくすことができる。
【００７６】
しかも、このプレキャストコンクリートブロック１４は、高強度繊維補強コンクリートで構成されているので、スパイラル筋の配置を不要とすることができ、かつ、これを通常のコンクリートで構成した場合に比して、大幅に小型化することができる。このため、プレストレストコンクリート橋１００が新設のプレストレストコンクリート橋である場合には、複数の外ケーブル５０を近接配置することが可能となる。また、プレストレストコンクリート橋１００が既設のプレストレストコンクリート橋である場合には、横桁１０２に予備孔として形成された外ケーブル挿通孔１１２Ｄ、１１２Ｅが既設の外ケーブル挿通孔１１２Ａ、１１２Ｂ、１１２Ｃに近接しているにもかかわらず、定着体１０の設置スペースを容易に確保することができる。
【００７７】
そして、定着体１０を鋼製の架台によって作製するようにした場合に比して、維持管理を容易に行うことができ、かつ、定着体１０を安価なものとすることができる。
【００７８】
このように本実施形態によれば、プレストレストコンクリート橋１００における外ケーブル定着構造において、横桁１０２を損傷させてしまうことなく、省スペースで定着体１０を設置することができ、かつ、これを維持管理が容易で安価なものとすることができる。
【００７９】
さらに、本実施形態に係る外ケーブル定着構造においては、定着体１０のプレキャストコンクリートブロック１４を構成する高強度繊維補強コンクリートが、超高強度繊維補強コンクリートで構成されているので、その小型化を一層推進することができる。
【００８０】
また、本実施形態に係る外ケーブル定着構造においては、定着体１０に、そのプレキャストコンクリートブロック１４の横桁対向面１４ａから突出する外トランペット管２２が取り付けられており、その際、この外トランペット管２２は、その基端部２２ａにおいてリブキャストアンカ１２にねじ込み固定されるとともに、その先端部２２ｃの外径が外ケーブル挿通孔１１２Ｅの内径と略同一径に設定されているので、次のような作用効果を得ることができる。
【００８１】
すなわち、定着体１０を横桁１０２に取り付ける際、外トランペット管２２を外ケーブル挿通孔１１２Ｅに挿入することにより、この外トランペット管２２を定着体１０の芯出しガイドとして用いることができ、かつ、この外トランペット管２２を、間詰め材を打設する際の内型枠として用いることができる。
【００８２】
しかも、この外トランペット管２２の中間部２２ｄは、その基端部２２ａおよび先端部２２ｃに対してくびれるようにして形成されており、この中間部２２ｄには、その上下両側から１対の外トランペット押さえ２４Ａ、２４Ｂが装着されるとともに、これら１対の外トランペット押さえ２４Ａ、２４Ｂの装着状態における外径が、外ケーブル挿通孔１１２Ｅの内径と略同一径に設定されているので、次のような作用効果を得ることができる。
【００８３】
すなわち、これら１対の外トランペット押さえ２４Ａ、２４Ｂの外周面により、定着体１０の芯出し精度を一層高めることができ、かつ、これら１対の外トランペット押さえ２４Ａ、２４Ｂを、間詰め材を打設する際の内型枠として有効利用することができる。また、これら１対の外トランペット押さえ２４Ａ、２４Ｂにより、角折れ等を防ぐ緩衝材としての役割を果たすようにすることができる。
【００８４】
さらに、この外ケーブル挿通孔１１２Ｅには、所定長にわたってバックアップＰＥ管２６が配置されるとともに、このバックアップＰＥ管２６の一端部には、外トランペット管２２の先端部２２ｃが外挿状態で嵌め込まれており、そして、これら外トランペット管２２およびバックアップＰＥ管２６に対して、外ケーブル挿通孔１１２Ｅを貫通する内トランペット管２８が、プレキャストコンクリートブロック１４の他端面１４ｂ側からリブキャストアンカ１２を介して挿入されているので、次のような作用効果を得ることができる。
【００８５】
すなわち、外ケーブル挿通孔１１２Ｅを貫通する内トランペット管２８の存在により、外ケーブル５０の挿通配置を容易に行うことが可能となるが、この内トランペット管２８を配置する際にも、これをプレキャストコンクリートブロック１４の他端面１０２ｂ側からリブキャストアンカ１２とこれにねじ込み固定された外トランペット管２２とこの外トランペット管２２が嵌め込まれたバックアップＰＥ管２６とに挿入することにより、その配置を容易に行うことができる。
【００８６】
なお、上記実施形態において諸元として示した数値は一例にすぎず、これらを適宜異なる値に設定してもよいことはもちろんである。
【図面の簡単な説明】
【００８７】
【図１】本願発明の一実施形態に係る外ケーブル定着構造が適用されるプレストレストコンクリート橋を、その橋軸直交方向の鉛直面に沿って示す断面図
【図２】（ａ）は、図１のIIa−IIa線断面図、（ｂ）は、（ａ）に示す位置に外ケーブル定着構造が取り付けられたときの状態を示す断面図、（ｃ）は、（ｂ）に示す位置にさらに外ケーブルが配置されたときの状態を示す断面図
【図３】図２（ｂ）のIII 部詳細図
【図４】図２（ａ）に示す予備孔として形成された外ケーブル挿通孔に対して、図２（ｂ）に示す外ケーブル定着構造を取り付ける際の手順を示す工程図
【符号の説明】
【００８８】
１０  定着体
１２  リブキャストアンカ（第１筒状部材）
１２ａ  開口部
１２ｂ  ネジ溝
１４  プレキャストコンクリートブロック
１４ａ  横桁対向面
１４ｂ  他端面
１４ｃ  開口部
２０  間詰め層
２２  外トランペット管（第２筒状部材）
２２ａ  基端部
２２ｂ  ネジ山
２２ｃ  先端部
２２ｄ  中間部
２４Ａ、２４Ｂ  外トランペット押さえ（半割筒状部材）
２６  バックアップＰＥ管（第３筒状部材）
２８  内トランペット管（第４筒状部材）
３０  ディアボロ管
３２  ゴム板
５０  外ケーブル
５２  スペーサ
５４  アンカディスク
５６  ウェッジ
５８  パッキン
１００  プレストレストコンクリート橋
１０２  横桁
１０２ａ  一端面
１０２ｂ  他端面
１０４  上床版
１０６  主桁
１０８  張出し部
１１０  張出し延長部
１１２Ａ、１１２Ｂ、１１２Ｃ、１１２Ｄ、１１２Ｅ  外ケーブル挿通孔
１２０  ＰＥ管
１２０ａ、１２０ｂ  両端部
Ａｘ  中心線
【図１】
0005014236.tif 000002
【図２】
0005014236.tif 000003
【図３】
0005014236.tif 000004
【図４】
0005014236.tif 000005